(57)【要約】【解決課題】  構造が簡単で、かつ、モータを用いなくても、レンジ支持機構を上下左右方向に移動させることができるレンズ支持機構を提供。【解決手段】  光学機器本体にレンズを移動可能に支持するレンズ支持機構１０は、複数のユニットを組み合わせた構成からなり、ユニット２８が前記レンズを移動可能に支持し、他のユニット１７,３０が光学機器本体に固定されている。ユニット２８とユニット１７,３０との間には両者を連結する部材１８,２０を設け、この部材を操作することにより、レンズを支持するユニットをX及びY方向に移動するように構成した。【選択図】  図８
2006119560.tif 000002
【特許請求の範囲】
【請求項１】
光学機器本体にレンズを移動可能に支持するレンズ支持機構において、この機構は複数のユニットを組み合わせた構成からなり、一部のユニットが前記レンズを移動可能に支持し、他のユニットが前記光学機器本体に固定されてなり、
前記レンズを支持するユニットと前記光学機器本体に固定されているユニットとの間には両者を連結する部材を設け、この部材を操作することにより、前記レンズを支持するユニットを所定方向に移動するように構成したレンズ支持機構。
【請求項２】
光学機器本体にレンズを移動可能に支持するレンズ支持機構において、
レンズの移動を支持する第１のユニットと、
前記本体に固定される第２及び第３のユニットと、
前記第１ユニットと前記第２ユニットとの間に設けられ、両者を連結する部材であり、前記第２ユニットに対して回転自在に嵌入される第１の軸と、前記第１ユニットに係合する第１の係合部と、前記本体から少なくとも一部が露出する第１の回転部と、を有し、前記第１の回転部を回転させることによって、前記第１の係合部が前記第１ユニットをＸ方向に移動させる、第１の支持部材と、
前記第１ユニットと前記第３ユニットとの間に設けられ、両者を連結する部材であり、前記第３ユニットに対して回転自在に嵌入される第２の軸と、前記第１ユニットに係合する第２の係合部と、前記本体から少なくとも一部が露出する第２の回転部と、を有し、前記第２の回転部を回転させることによって、前記第２の係合部が前記第１ユニットをＹ方向に移動させる、第２の支持部材と、を備えてなるレンズ支持機構。
【請求項３】
光学機器本体にレンズを移動可能に支持するレンズ支持機構において、
レンズの移動を支持する第１のユニットと、
前記本体に固定される第２及び第３のユニットと、
前記第１ユニットと前記第２ユニットとの間に設けられ、両者を連結する部材であり、前記第２ユニットに対して回転自在に嵌入される第１の軸と、前記本体から少なくとも一部が露出する第１の回転部と、前記第１の回転部に回転軸が偏心して連結されて前記本体から少なくとも一部が露出するとともに前記第１ユニットに係合する第１の回転微調整部とを有し、前記第１の回転部を回転させることによって、前記第１の回転微調整部が前記第１ユニットをＸ方向に粗動させ、前記第１の回転微調整部を回転させることによって前記第１の回転微調整部が前記第１ユニットをＸ方向に微動させる、第１の支持部材と、
前記第１ユニットと前記第３ユニットとの間に設けられ、両者を連結する部材であり、前記第３ユニットに対して回転自在に嵌入される第２の軸と、前記本体から少なくとも一部が露出する第２の回転部と、前記第２の回転部に回転軸が偏心して連結されて前記本体から少なくとも一部が露出するとともに前記第１ユニットに係合する第２の回転微調整部とを有し、前記第２の回転部を回転させることによって、前記第２の回転微調整部が前記第１ユニットをＹ方向に粗動させ、前記第２の回転微調整部を回転させることによって前記第２の回転微調整部が前記第１ユニットをＹ方向に微動させる、第２の支持部材と、を備えてなるレンズ支持機構。
【発明の詳細な説明】
【技術分野】
【０００１】
本発明はプロジェクタなどの光学機器に使用される、レンズの支持機構に関するものである。
【背景技術】
【０００２】
光学機器には、レンズと、これを本体に支持するレンズ支持機構が設けられている。プロジェクタでは、レンズユニットの投写角度を変更できるように、レンズの支持機構はレンズユニットを左右上下に移動できるように構成されている。この種のレンズ支持機構として、例えば、特開２００４−７７６１２号公報に記載のものが知られている。このものは、液晶プロジェクタのレンズ鏡筒移動機構を更に改良し、構成が簡単で、レンズ鏡筒の移動がスムーズで、且つ高精度の移動が可能なレンズ移動機構及び該レンズ移動機構を用いた液晶プロジェクタを提供することを目的にして得られたものであり、画像情報を有する光を投射する投写レンズを内部に備えるレンズ鏡筒を保持するレンズ保持部材を互いに直交する、Ｘ方向、Ｙ方向に移動させるレンズ移動機構であって、軌道部材と、移動部材と、該軌道部材の転動体転走面と移動部材の転動体転走面の間に配置された複数の転動体等を具備する第１及び第２の案内機構を設け、第１及び第２の案内機構でレンズ鏡筒１５をＸ方向、Ｙ方向に移動させることを特徴とするものである。
【特許文献１】特開２００４−７７６１２号公報
【発明の開示】
【発明が解決しようとする課題】
【０００３】
前記従来のレンズの支持機構は、レンズ鏡筒を移動させるために、軌道部材、転動体などを必要とし、構造が複雑であると言う問題がある。また、レンズ鏡筒を移動させるための駆動源としてのモータを必要とするなど更に構造が複雑になり、かつ重量も増すことになる。
【０００４】
そこで、この発明は、構造が簡単で、かつ、モータを用いなくても、レンジ支持機構を上下左右方向に移動させることができるレンズ支持機構を提供することを目的とするものである。
【課題を解決するための手段】
【０００５】
前記目的を達成するために、本発明は、光学機器本体にレンズを移動可能に支持するレンズ支持機構において、この機構は複数のユニットを組み合わせた構成からなり、一部のユニットが前記レンズを移動可能に支持し、他のユニットが前記光学機器本体に固定されてなり、前記レンズを支持するユニットと前記光学機器本体に固定されているユニットとの間には両者を連結する部材を設け、この部材を操作することにより、前記レンズを支持するユニットを所定方向に移動するように構成したことを特徴とするものである。
【０００６】
本発明の他の形態は、光学機器本体にレンズを移動可能に支持するレンズ支持機構において、レンズの移動を支持する第１のユニットと、前記本体に固定される第２及び第３のユニットと、前記第１ユニットと前記第２ユニットとの間に設けられ、両者を連結する部材であり、前記第２ユニットに対して回転自在に嵌入される第１の軸と、前記第１ユニットに係合する第１の係合部と、前記本体から少なくとも一部が露出する第１の回転部と、を有し、前記第１の回転部を回転させることによって、前記第１の係合部が前記第１ユニットをＸ方向に移動させる、第１の支持部材と、前記第１ユニットと前記第３ユニットとの間に設けられ、両者を連結する部材であり、前記第３ユニットに対して回転自在に嵌入される第２の軸と、前記第１ユニットに係合する第２の係合部と、前記本体から少なくとも一部が露出する第２の回転部と、を有し、前記第２の回転部を回転させることによって、前記第２の係合部が前記第１ユニットをＹ方向に移動させる、第２の支持部材と、を備えてなることを特徴とするものである。
【０００７】
さらに、本発明の他の形態は、光学機器本体にレンズを移動可能に支持するレンズ支持機構において、レンズの移動を支持する第１のユニットと、前記本体に固定される第２及び第３のユニットと、前記第１ユニットと前記第２ユニットとの間に設けられ、両者を連結する部材であり、前記第２ユニットに対して回転自在に嵌入される第１の軸と、前記本体から少なくとも一部が露出する第１の回転部と、前記第１の回転部に回転軸が偏心して連結されて前記本体から少なくとも一部が露出するとともに前記第１ユニットに係合する第１の回転微調整部とを有し、前記第１の回転部を回転させることによって、前記第１の回転微調整部が前記第１ユニットをＸ方向に粗動させ、前記第１の回転微調整部を回転させることによって前記第１の回転微調整部が前記第１ユニットをＸ方向に微動させる、第１の支持部材と、前記第１ユニットと前記第３ユニットとの間に設けられ、両者を連結する部材であり、前記第３ユニットに対して回転自在に嵌入される第２の軸と、前記本体から少なくとも一部が露出する第２の回転部と、前記第２の回転部に回転軸が偏心して連結されて前記本体から少なくとも一部が露出するとともに前記第１ユニットに係合する第２の回転微調整部とを有し、前記第２の回転部を回転させることによって、前記第２の回転微調整部が前記第１ユニットをＹ方向に粗動させ、前記第２の回転微調整部を回転させることによって前記第２の回転微調整部が前記第１ユニットをＹ方向に微動させる、第２の支持部材と、を備えてなることを特徴とするものである。
【０００８】
本発明によれば、ユーザが手動で第１の支持部材を回転させることができ、これにより、第１の係合部が第１ユニットを第２ユニットに対してＸ方向に移動させる。さらに、ユーザが手動で第２の支持部材を回転させることができ、これにより、第２の係合部が第１ユニットを第２ユニットに対してＹ方向に移動させる。
【０００９】
また、ユーザが第１の支持部材または第２の支持部材を回転させた後（粗動後）、第１の回転微調整部または第２の回転微調整部を回転させることで、第１ユニットを第２ユニットに対してＸ方向またはＹ方向に微小角度だけ移動（微動）させることができる。したがって、本発明に係わるレンズ支持機構は、従来技術のように、軌道部材、転動体などを必要とせず、かつ、レンズ鏡筒を移動させるための駆動源としてのモータを必要としないので、構造が簡単で重量も嵩まない。さらに、レンズの位置を微調整することができる。
【発明の効果】
【００１０】
以上説明したように、本発明によれば、構造が簡単で、かつ、モータを用いなくても、レンジ支持機構を上下左右方向に移動させることができるレンズ支持機構を提供することができる。
【発明を実施するための最良の形態】
【００１１】
図１に本発明に係るレンズ支持機構を備えた、プロジェクタなどの光学機器の全体斜視図を示す。レンズ支持機構１０は光学機器１２の正面中央に設けられている。レンズ支持１０は中央に円状の凹部１４を備え、ここにレンズユニットを収容する。レンズ支持機構１０は、レンズユニットをＸ方向及びＹ方向に移動させる。
【００１２】
図２はレンズ支持機構の斜視図であり、このレンズ支持機構は、複数の樹脂製プレートの組み合せ体１６から構成されている。このプレートの一つ又は複数が請求項記載のユニットに相当する。プレートＡ（１７）が、レンズ支持機構１０の正面に来る。プレートＢ、Ｃ、Ｄ（後述）をレンズ支持機構の背面側に向けて順番に組み合わされることによりレンズ支持機構が構成される。
【００１３】
ここで、プレートＡ−Ｄがレンズ支持機構における機能について説明する（図３）。プレートＡとプレートＤが、光学機器の筐体（本体）に固定されている。プレートＢとＣとがレンズを移動可能に支持している。プレートＢがプレートＡに対してＸ方向に移動し、プレートＢとＸ方向への移動に対して固定されているプレートＣは同じくＸ方向に移動する。プレートＣはプレートＤに対してＹ方向に移動する。プレートＣとＢとが請求項記載の第１ユニットに相当し、プレートＡが第２ユニットに相当し、プレートＤが第３ユニットに相当する。
【００１４】
図２において、符号１８がプレートＡとプレートＢとを連結する回転レバー（第１の支持部材）であり、プレートＢをプレートＡに対してＸ方向に移動させるためのものである。プレートＢはプレートＣに係合されているために、既述のとおりプレートＣがＸ方向に移動する。符号２０が、プレートＣとプレートＤとを連結する回転レバー（第２の支持部材）であり、プレートＣをＹ方向に移動させるためのものである。
【００１５】
図４はレンズ支持機構の詳細な構造を示す斜視図であるが、プレートＡの図示を省略している。図５はその左側面図である。符号２６は、図２のプレートＡ（１７）の、光学機器背面方向に重ねられる既述のプレートＢである。符号２８はプレートＣである。プレートＣはプレートＢの背面側に組み合わされる。符号３０は、プレートＤであり、プレートＣの背面側から組み付けられる。
【００１６】
既述の回転レバー１８の詳細が図６に示されている。回転レバーは約２πの角度分形成された円周部３２と、円周部表面に形成された滑り止め用の複数の突状部３４と、回転中心軸３６と、回転中心からシフトされた位置にあるクランク軸３８とを備えている。図４に戻り説明を続けると、回転軸３６は、プレートＡ（１７）の背面からその軸穴に回転自在に嵌入される。クランク軸３８は、プレートＢ（２６）の背面からその軸穴に嵌入されている。既述のとおり、プレートＡ（１７）は、光学機器の本体に固定されていることから、回転レバー１８がプレートＡに軸支されると、クランク軸３８を介して回転レバーにプレートＢ（２６）が固定される。すなわち、回転レバー１８を介してプレートＡ（１７）とプレートＢ（２６）とが連結されることになり、プレートＢ（２６）が光学機器本体の支持されることになる。
【００１７】
図７は、既述の回転レバー２０の詳細を示すものである。回転レバーは約２πの角度分形成された円周部４２と、円周部表面に形成された滑り止め用の複数の突状部４４と、回転中心軸４６と、回転中心からシフトされた位置にあるクランク軸４８とを備えている。図４に戻り説明を続けると、回転軸４６は、プレートＤ（３０）の側面の軸穴に回転自在に嵌入される。クランク軸４８は、プレートＣ（２８）の側面の軸穴に嵌入されている。既述のとおり、プレートＤ（３０）は、光学機器の本体に固定されていることから、回転レバー２０がプレートＤに軸支されると、クランク軸４８を介して回転レバーにプレートＣ（２８）が固定される。すなわち、回転レバー２０を介してプレートＤ（３０）とプレートＣ（２８）とが連結されることになり、プレートＣ（２８）が光学機器本体の支持されることになる。
【００１８】
図８は、レンズ支持機構の組み立て斜視図である。光学機器の正面側から背面側に向けて、プレートＡ（１７）、プレートＢ（２６）、プレートＣ（２８）、及びプレートＤ（３０）がこの順に組み付けられている。プレートＡの正面左上部には、回転レバー１８の回転中心軸３６が嵌入される軸穴５０が設けられている。プレートＢ（２６）は、回転レバー１８のクランク軸３８が嵌入される軸穴５２を備えている。さらに、プレートＢは、Ｘ方向に移動する際の前記回転軸３６に対する逃げとなるＵ字状の切り欠き（Ｘ方向に形成）５３を備えている。
【００１９】
プレートＢ（２６）の上部には矩形状に突出した突部５８がＸ方向に設けられている。この突部５８は、図９に示すプレートＡ（１７）の裏面の矩形状で、前記凸部５８よりも長い凹部に嵌入ないしは係合される。凸部５６は凹部５８内を摺動可能である。したがって、プレートＢ（２６）はプレートＡ（１７）に対してＸ方向に移動することができる。
【００２０】
プレートＣ（２８）は、回転レバー２０のクランク軸４８が嵌入されるＵ字状で奥行き方向に開放されたＵ字状の切り欠き溝５４を備えている。また、プレートＤ（３０）は、その左側面図にも示すように、回転レバー２０の回転中心軸４６が嵌入される軸穴５６を備えている。プレートＣ（２８）の前面側左縁部には、Ｙ方向に伸びる矩形状の突部６０が設けられている。プレートＢ（２６）の背面のこの凸部６０に対向する部分には、図１１に示すように、矩形状の凹部６２が設けられている。この凹部６２に凸部６２がＹ方向に摺動可能に嵌入される。すなわち、凹部６２のＹ方向の幅は凸部６０よりも長い値となっている。
【００２１】
図８において、６４ＡはプレートＡ（１７）に設けられた、レンズ用の穴部であり、６４ＢはプレートＢ（２６）に設けられた同穴部である。プレートＣ（２８）はレンズ装置を収容するハウジング６６を備えている。このハウジングは光学装置の背面側に向かって膨らむように形成されている。プレートＤ（３０）をプレートＣ（２８）に組み付けた際にハウジング６６が挿通される穴部である。プレートＤ（３０）の上下の縁辺に設けられた短矩形の小片７０は、光学機器の正面側に向けてプレートＤに対して直角に突出している。この小片７０はプレートＣ（２８）がＹ方向に移動する際のストッパとなる役割を持っている。小片７２はプレートＤの左右の縁から突出するものであり、プレートＢ，ＣがＸ方向に移動する際のストッパとなる。
【００２２】
プレートＡ（１７）には、小円形状のボス部７４が設けられている。このボス部７４とプレートＢ（２６）の正面との間には、押しばね（弾性部材）７６とパッド（滑り止め用部材）７８とが設けられている。図１２はレンズ支持機構１０の側面図（一部断面図）であり、図１３は図１２の断面部分の拡大図である。前記ボス部７４の裏面には直角に突出する突部８０が設けられ、この８０の周りに押しばね既述の押ばね７６とパッド７８とが嵌め込まれている。プレートＡ（１７）とプレートＢ（２６）とを組み付けた際に、パッド８０が押しばね７６のばね力によってプレートＢ（２６）の正面に圧接される。
【００２３】
一方、前記回転レバー２０には鉤状のフック８２が一体に設けられており（図７）、このフック８２と前記プレートＤ（３０）の下端に設けられたフック８４（図８,１２）との間にコイルばね８６が係合されている。プレートＣは、レンズユニットを収容しているために、プレートＣはＹ方向（下方）に傾動する方向に付勢されている。コイルバネ８６は、この付勢に抗して、プレートＣに掛る荷重のバランスを採っている。
【００２４】
次に、この発明に係わるレンズの支持機構の動作について説明する。図８を参考にして説明する。レバー１８を回転させると、クランク軸３８が回転軸３６に対してＸ方向に移動する。クランク軸３８はプレートＢ（２６）の縦長状の軸穴５２に回転自在に挿入或いは係合されている。したがって、プレートＢもＸ方向に移動する。プレートＡ（１７）の裏面の凹部５８にプレートＢ（２６）の凸部５８が嵌め込まれているので（図９）、プレートＢのＸ方向のスライドが凹部５８によってガイドされている。
【００２５】
プレートＢ（２６）の裏面の凹部６２（図１１）が嵌入されているので、プレートＢ（２６）と一体にプレートＣ（３０）がＸ方向にスライドする。図１４はレバー１８を右回転した場合にプレートＣが右方向にシフトした状態を示している。なお、既述の押しばね７６によってパッド７８がプレートＢ（２６）に圧接された構造（図１３）であるため、レバー１８に必要な保持力が与えられる。
【００２６】
次に、回転レバー２０を回転させると、クランク軸４８が回転軸４６に対してＹ方向に移動する。このクランク軸はプレートＣのＵ字状の溝６０に係合しているために、プレートＣもＹ方向に移動する。プレートＣのＹ方向に形成された凸部６０がプレートＢの裏面の凹部６２に嵌入されているために、プレートＣは凹部６２にガイドされながらＹ方向にシフトできる。図１５は回転レバー２０（図１２）を右方向に回転させた際に、プレートＣ（２８）がＡ（１７）に対して上方向にシフトする状態を示している。
【００２７】
以上の結果、レンズユニットの支持機構をＸ方向及びＹ方向に所定角度傾動させることができる。
【００２８】
なお、前記回転レバー１８及び２０とも、光学機器本体外から操作できるように、円周部部分３２及び４２が本体外面から一部露出するように構成されている。
【００２９】
次に、本発明に係るレンズ支持機構１０の他の実施例を図１６にしたがって説明する。本実施例は、レンズユニットの支持機構をＸ方向及びＹ方向に所定角度傾動（粗動）させた後、さらに、レンズユニットの支持機構をＸ方向及びＹ方向に微小角度傾動（微動）させるようにしたものであり、回転レベー１８、２０の代わりに、回転レベー１１８、１２０が設けられているとともに、ダイヤル１２２、１２４が設けられている。
【００３０】
回転レバー１１８は、約２πの角度分形成された円周部１３２と、円周部１３２と一体に形成された支持部１３４と、支持部１３４と直交する方向に沿って配置されて支持部１３４に固定された回転軸１３６と、回転軸１３６から偏心した位置に形成された貫通孔１３８と、プレートＤ（３０）に相対向して形成された突起１４０とを備えている。突起１４０は、プレートＤ（３０）に形成された複数の溝１４２のいずれかに挿入可能に形成されており、回転軸１３６の軸方向一端側がプレートＤ（３０）の軸穴１４４内に挿入されている。
【００３１】
ダイヤル１１８は、第１の回転微調整部として、略円盤状に形成されている。ダイヤル１１８は、その一部が本体から露出する円周部に複数の溝１４６が形成され、中央部に回転軸１４８、１５０が形成され、底部側に円弧状の切り欠き１５２が形成されている。回転軸１４８と回転軸１５０は互いに偏心した位置（回転軸１３６と貫通孔１３８との偏心量よりも小さい偏心量）に形成されており、回転軸１４８は軸方向端部が回転レバー１１８の貫通孔１３８内に挿入され、回転軸１５０は軸方向端部がプレートＢ（２６）の軸穴５２内に挿入されて固定されている。すなわち、回転レバー１１８は、ダイヤル１２２を介してプレートＢ（２６）に連結されている。切り欠き１５２内には回転レバー１１８の回転軸１３６が挿入されている。支持板１５４にはプレートＢ（２６）と相対向した突起１５６が形成されており、突起１５６は押しばね１５８内に挿入され、押しばね１５８はプレートＡ（１７）の小片１６０に装着されている。
【００３２】
一方、回転レバー１２０は、約２πの角度分形成された円周部１６２と、円周部１６２と一体に形成された支持部１６４と、支持部１６４と直交する方向に沿って配置されて支持部１６４に固定された回転軸１６６と、回転軸１６６から偏心した位置に形成された貫通孔１６８と、プレートＡ（１７）に相対向して形成された突起１７０とを備えている。突起１７０は、プレートＡ（１７）に形成された複数の溝１７２のいずれかに挿入可能に形成されており、回転軸１６６の軸方向一端側がプレートＡ（１７）の軸穴１７４内に挿入されている。
【００３３】
ダイヤル１２４は、第２の回転微調整部として、略円盤状に形成されている。ダイヤル１２４は、その一部が本体から露出する円周部に複数の溝１７６が形成され、中央部に回転軸１７８、１８０が形成され、側面側に円弧状の切り欠き１８２が形成されている。回転軸１７８と回転軸１８０は互いに偏心した位置（回転軸１６６と貫通孔１６８との偏心量よりも小さい偏心量）に形成されており、回転軸１７８は軸方向端部が回転レバー１２０の貫通孔１６８内に挿入され、回転軸１８０は軸方向端部がプレートＣ（２８）の切り欠き溝５４に挿入されてプレートＣ（２８）に固定されている。すなわち、回転レバー１２０は、ダイヤル１２４を介してプレートＣ（２８）に連結されている。支持板１８４にはプレートＡ（１７）と相対向した突起１８６が形成されており、突起１８６は押しばね１８８内に挿入され、押しばね１８８はプレートＡ（１７）の小片１９０に装着されている。プレートＢ（２６）の軸穴５２内に挿入されて固定されている。すなわち、支持板１８４は、押しばね１８８のばね力を受けてダイヤル１２４を回転レバー１２０側に押圧するようになっている。
【００３４】
次に、本発明に係わるレンズ支持機構の動作を説明する。まず、回転レバー１１８を回転させるに先立って、図１７に示すように、突起１４０と溝１４２との係合によって両者がロック状態にあるので、図１８、図１９に示すように、回転レバー１１８をプレートＡ（１７）側に押すと（矢印Ｚ方向）、突起１４０と溝１４２との係合によるロック状態が解除される。この状態で、図２０に示すように、回転レバー１１８をＸ軸方向に沿って左右に回転すると、回転レバー１１８の回転力がダイヤル１２２に作用し、ダイヤル１２２がＸ方向に移動するとともに、プレートＢ（２６）も所定角度Ｘ方向に移動する。回転レバー１１８を右方向に回転したときの状態を図２１に示す。これにより、レンズの位置を粗調整（粗動調整）することができる。
【００３５】
次に、回転レバー１１８に対する押圧を解除すると、突起１４０と溝１４２との係合によって両者が再びロック状態になる。この後、図２２に示すように、ダイヤル１２２をＸ方向に回転すると、回転軸１４８と回転軸１５０の偏心量に応じてプレートＢ（２６）が微小角度だけ移動する。これにより、レンズの位置を微調整（微動調整）することができる。
【００３６】
次に、回転レバー１２０を回転させるに先立って、突起１７０と溝１７２との係合によって両者がロック状態にあるので、図２３に示すように、回転レバー１２０をプレートＡ（１７）側に押すと（矢印Ｘ方向）、突起１７０と溝１７２との係合によるロック状態が解除される。この状態で、回転レバー１２０をＹ軸方向に沿って右側に回転すると、回転レバー１２０の回転力がダイヤル１２４に作用し、ダイヤル１２４がＹ方向に移動するとともに、プレートＣ（２８）も所定角度Ｙ方向に移動する。これにより、レンズの位置を粗調整（粗動調整）することができる。
【００３７】
次に、回転レバー１２０に対する押圧を解除すると、突起１７０と溝１７２との係合によって両者が再びロック状態になる。この後、ダイヤル１２４をＹ方向に回転すると、回転軸１７８と回転軸１８０の偏心量に応じてプレートＣ（２８）が微小角度だけ移動する。これにより、レンズの位置を微調整（微動調整）することができる。
【００３８】
また、回転レバー１１８、１２０のロック、ロック解除を行うに際しては、回転レバー１１８、１２０を上下方向に操作することで、回転レバー１１８、１２０のロック、ロック解除を行うことができる。
【００３９】
具体的には、図２４、図２５、図２６に示すように、支持板１５４の代わりに、回転レバー１１８の支持部１３４の底部と係合可能な支持板１９２を用い、プレートＤ（３０）に突起１４０と係合可能な複数の溝１９４を形成するとともに、押しばね１５８を介して支持板１９２を支持する小片１９６を形成し、小片１９６に押しばね１５８を装着し、押しばね１５８のばね力を支持板１９２を介して回転レバー１１８に付与する。この場合、突起１４０といずれかの溝１９４とが係合することで回転レバー１１８がロック状態となり、回転レバー１１９を下方に押圧すると、突起１４０と溝１９４との係合が解除され、回転レバー１１８がロック解除状態になる。
【００４０】
同様に、支持板１８４の代わりに、回転レバー１２０の支持部１６４の底部と係合可能な支持板１９８を用い、プレートＡ（１７）に突起１７０と係合可能な複数の溝２００を形成するとともに、押しばね１８８を介して支持板１９８を支持する小片２０２を形成し、小片２０２に押しばね１８８を装着し、押しばね１８８のばね力を支持板１９８を介して回転レバー１２０に付与する。この場合、突起１７０といずれかの溝２００とが係合することで回転レバー１２０がロック状態となり、回転レバー１２０を下方に押圧すると、突起１７０と溝２００との係合が解除され、回転レバー１２０がロック解除状態になる。
【図面の簡単な説明】
【００４１】
【図１】レンズ支持機構を備えた光学機器の全体斜視図。
【図２】レンズ支持機構の全体斜視図。
【図３】レンズ支持機構を構成するプレートの関係を示すブロック図。
【図４】レンジ支持機構の詳細を示す斜視図。
【図５】その左側面図。
【図６】回転レバー（第１支持部材）の斜視図。
【図７】回転レバー（第２支持部材）の斜視図。
【図８】レンズ支持機構の組み立て全体斜視図。
【図９】プレートＡの裏面を示す斜視図。
【図１０】プレートＤの左側面図。
【図１１】プレートＢの裏面を示す斜視図。
【図１２】レンズ支持機構の左側面図（一部断面図）。
【図１３】図１２の断面部分の詳細図。
【図１４】レンズユニットが右方向へ移動している状態を示す、レンズユニット支持機構の正面図。
【図１５】レンズユニットが上方向へ移動している状態を示す、レンズユニット支持機構の正面図。
【図１６】本発明の他の実施例を示すレンズ支持機構の組み立て全体斜視図。
【図１７】回転レバーとダイヤルのロック状態を示す要部断面図。
【図１８】回転レバーとダイヤルのロック解除状態を示す要部断面図。
【図１９】回転レバーのロック解除方法を示すレンズ機構の左側面図。
【図２０】回転レバーの操作方法を示す回転レバーの要部側面図。
【図２１】回転レバーを右方向に回転したときの状態を示すレンズ機構の正面図。
【図２２】ダイヤルの要部正面図。
【図２３】回転レバーとダイヤルのロック解除状態を示すレンズ機構の正面図。
【図２４】本発明の他の実施例を示すレンズ支持機構の組み立て全体斜視図。
【図２５】回転レバーとダイヤルのロック状態を示す要部断面図。
【図２６】回転レバーとダイヤルのロック解除状態を示す要部断面図。
【図１】
2006119560.tif 000003
【図２】
2006119560.tif 000004
【図３】
2006119560.tif 000005
【図４】
2006119560.tif 000006
【図５】
2006119560.tif 000007
【図６】
2006119560.tif 000008
【図７】
2006119560.tif 000009
【図８】
2006119560.tif 000010
【図９】
2006119560.tif 000011
【図１０】
2006119560.tif 000012
【図１１】
2006119560.tif 000013
【図１２】
2006119560.tif 000014
【図１３】
2006119560.tif 000015
【図１４】
2006119560.tif 000016
【図１５】
2006119560.tif 000017
【図１６】
2006119560.tif 000018
【図１７】
2006119560.tif 000019
【図１８】
2006119560.tif 000020
【図１９】
2006119560.tif 000021
【図２０】
2006119560.tif 000022
【図２１】
2006119560.tif 000023
【図２２】
2006119560.tif 000024
【図２３】
2006119560.tif 000025
【図２４】
2006119560.tif 000026
【図２５】
2006119560.tif 000027
【図２６】
2006119560.tif 000028